(57)【要約】【課題】フラットケーブル同軸ケーブルを接続する際、グランド接地を容易に接続できるようする。【解決手段】複数の導体１３を並列に配置したフラットケーブル１１の少なくとも一端側に露出した露出導体に、中心導体３と外部導体７とを備えた複数の同軸ケーブル１を接続するフラットケーブル１１に対する同軸ケーブル１の接続構造において、前記フラットケーブル１１の幅方向へ延伸した導体１３からなり、前記同軸ケーブル１の複数の外部導体を接続せしめる第１グランド用接続部材１７と、この第１グランド用接続部材１７に一端が一体化され、他端が前記フラットケーブル１１における露出導体の少なくとも１本に接続される導体からなる第２グランド用接続部材１９と、を備えていることを特徴とする。【選択図】      図１
2004214079.tif 000002
【特許請求の範囲】
【請求項１】
複数の導体を並列に配置したフラットケーブルの少なくとも一端側に露出した露出導体に、中心導体と外部導体とを備えた複数の同軸ケーブルを接続するフラットケーブルに対する同軸ケーブルの接続構造において、前記フラットケーブルの幅方向へ延伸した導体からなり、前記同軸ケーブルの複数の外部導体を接続せしめる第１グランド用接続部材と、この第１グランド用接続部材に一端が一体化され、他端が前記フラットケーブルにおける露出導体の少なくとも１本に接続される導体からなる第２グランド用接続部材と、を備えていることを特徴とするフラットケーブルに対する同軸ケーブルの接続構造。
【請求項２】
前記フラットケーブルの導体が平角形状、前記第１グランド用接続部材が矩形形状および第２グランド用接続部材が平角形状からなっていることを特徴とする請求項１記載のフラットケーブルに対する同軸ケーブルの接続構造。
【請求項３】
複数の導体を並列に配置したフラットケーブルの少なくとも一端側に露出した露出導体に、中心導体と外部導体とを備えた複数の同軸ケーブルを接続するフラットケーブルに対する同軸ケーブルの接続構造において、前記同軸ケーブルの各外部導体を絶縁せしめる絶縁部材と、前記フラットケーブルの幅方向へ延伸した導体からなり、前記絶縁部材上に設けると共に一部を前記フラットケーブルにおける露出導体の少なくとも１本に接続するグランド用接続部材と、を備えていることを特徴とするフラットケーブルに対する同軸ケーブルの接続構造。
【請求項４】
前記絶縁部材が絶縁テープおよびグランド用接続部材が平角形状からなっていることを特徴とする請求項３記載のフラットケーブルに対する同軸ケーブルの接続構造。
【発明の詳細な説明】
【０００１】
【発明の属する技術分野】
この発明は、例えばパソコンの液晶モニタの配線材として使用することが増加してきた極細同軸ケーブルなどの同軸ケーブルをフラットケーブルに接続するようにしたフラットケーブルに対する同軸ケーブルの接続方法およびその接続構造に関する。
【０００２】
【従来の技術】
従来、同軸ケーブルとしての例えば極細同軸ケーブル１０１は、図８（Ａ）、（Ｂ）に示されているように、例えばφ０．０３ｍｍの複数の銅製の導線からなる中心導体１０３を例えばフッ素系樹脂からなる絶縁層１０５で覆い、この絶縁層１０５の外周に例えばφ０．０３ｍｍの複数の銅製の導線からなる外部導体１０７が設けられ、さらに、この外部導体１０７の外周には例えばフッ素系樹脂からなる外皮１０９でジャケットされている。
【０００３】
また、フレキシブルプリント基板（ＦＰＣ）１１１は、図９に示されているように、銅箔の精密エッチングで形成された回路を、絶縁特性や耐熱性に優れるポリイミドフィルムでサンドイッチした構造の屈曲性のある配線基板で、配線パターンが形成され、グランドを接地するための配線パターン１１３と、この配線パターン１１３に接続する配線パターン１１５と、複数の配線パターン１１７と構成されている。
【０００４】
上記の図９に示されているフレキシブルプリント基板（ＦＰＣ）１１１に、図８（Ａ）、（Ｂ）に示されている極細同軸ケーブル１０１を接続する場合には、図１０に示されているように、フレキシブルプリント基板（ＦＰＣ）１１１における複数の配線パターン１１７に極細同軸ケーブル１０１の露出された中心導体１０３が例えば半田などで接続されると共にフレキシブルプリント基板（ＦＰＣ）１１１における配線パターン１１３と極細同軸ケーブル１０１の露出された外部導体１０７とが接続部材であるグランドバー１１９で例えば半田などで接続される。
【０００５】
一方、フラットケーブル１２１の構造は、例えば図１１に示されているように、複数の例えば平角からなる導体１２３を並列に配置し、しかも、導体１２３の上下両面を例えばポリエステルテープ１２５で挟んで薄型のテープ形状になっている。そして、その各端部では前記各導体１２３が接続のために露出されている。
【０００６】
【特許文献１】
特開２００１−０３５５６７号公報
【０００７】
【特許文献２】
特開平８−２１３１１２号公報
【０００８】
【発明が解決しようとする課題】
ところで、上述したように、フレキシブルプリント基板（ＦＰＣ）１１１に極細同軸ケーブル１０１を接続する場合には、フレキシブルプリント基板（ＦＰＣ）１１１にグランドを接地するための配線パターン１１３が形成されているので、極細同軸ケーブル１０１からのグランドをとることが容易にできる。
【０００９】
しかしながら、フラットケーブル１２１は上述のごとき構造をしているため、フラットケーブル１２１に極細同軸ケーブル１０１を接続する場合には、グランドを接地するための配線パターン１１３が形成されておらず、グランドを接地するための配線パターンを形成することが困難である。そのため、特定のピンにグランドを接地することができないという問題があった。
【００１０】
この発明は上述の課題を解決するためになされたもので、その目的は、フラットケーブルに同軸ケーブルを接続する際、グランド接地を容易に接続できるようにしたフラットケーブルに対する同軸ケーブルの接続方法およびその接続構造を提供することにある。
【００１１】
【課題を解決するための手段】
請求項１によるこの発明のフラットケーブルに対する同軸ケーブルの接続構造は、複数の導体を並列に配置したフラットケーブルの少なくとも一端側に露出した露出導体に、中心導体と外部導体とを備えた複数の同軸ケーブルを接続するフラットケーブルに対する同軸ケーブルの接続構造において、前記フラットケーブルの幅方向へ延伸した導体からなり、前記同軸ケーブルの複数の外部導体を接続せしめる第１グランド用接続部材と、この第１グランド用接続部材に一端が一体化され、他端が前記フラットケーブルにおける露出導体の少なくとも１本に接続される導体からな第２グランド用接続部材と、を備えていることを特徴とするものである。
【００１２】
したがって、前記同軸ケーブルの複数の外部導体を接続せしめる第１グランド用接続部材と、この第１グランド用接続部材に一端が一体化され、他端が前記フラットケーブルにおける露出導体の少なくとも１本に接続される導体からな第２グランド用接続部材と、が備えられているから、第１グランド用接続部材とこの第１グランド用接続部材に一体化した第２グランド用接続部材を用いることで、フラットケーブルに同軸ケーブルを接続する際に、容易にグランドの接地が行われる。
【００１３】
請求項２によるこの発明のフラットケーブルに対する同軸ケーブルの接続構造は、請求項１記載のフラットケーブルに対する同軸ケーブルの接続構造において、前記フラットケーブルの導体が平角形状、前記第１グランド用接続部材が矩形形状および第２グランド用接続部材が平角形状からなっていることを特徴とするものである。
【００１４】
したがって、前記フラットケーブルの導体が平角形状、前記第１グランド用接続部材が矩形形状および第２グランド用接続部材が平角形状からなっているから、フラットケーブルに同軸ケーブルを接続する際に、信号線の接続とグランドの接地もより一層容易に行われる。
【００１５】
請求項３によるこの発明のフラットケーブルに対する同軸ケーブルの接続構造は、複数の導体を並列に配置したフラットケーブルの少なくとも一端側に露出した露出導体に、中心導体と外部導体とを備えた複数の同軸ケーブルを接続するフラットケーブルに対する同軸ケーブルの接続構造において、前記同軸ケーブルの各外部導体を絶縁せしめる絶縁部材と、前記フラットケーブルの幅方向へ延伸した導体からなり、前記絶縁部材上に設けると共に一部を前記フラットケーブルにおける露出導体の少なくとも１本に接続するグランド用接続部材と、を備えていることを特徴とするものである。
【００１６】
したがって、前記同軸ケーブルの各外部導体を絶縁せしめる絶縁部材と、前記フラットケーブルの幅方向へ延伸した導体からなり、前記絶縁部材上に設けると共に一部を前記フラットケーブルにおける露出導体の少なくとも１本に接続するグランド用接続部材と、が備えられているから、前記フラットケーブルの幅方向へ延伸した導体からなるグランド用接続部材と前記絶縁部材を用いることで、フラットケーブルに同軸ケーブルを接続する際に、容易にグランドの接地が行われる。
【００１７】
請求項４によるこの発明のフラットケーブルに対する同軸ケーブルの接続構造は、請求項３記載のフラットケーブルに対する同軸ケーブルの接続構造において、前記絶縁部材が絶縁テープおよびグランド用接続部材が平角形状からなっていることを特徴とするものである。
【００１８】
したがって、前記絶縁部材が絶縁テープおよびグランド用接続部材が平角形状からなっているので、フラットケーブルに同軸ケーブルを接続する際に、信号線の接続とグランドの接地もより一層容易に行われる。
【００１９】
【発明の実施の形態】
以下、この発明の実施の形態について図面を参照して詳細に説明する。
【００２０】
図６（Ａ）、（Ｂ）に示されているように、同軸ケーブルとしての例えば極細同軸ケーブル１は、例えばφ０．０３ｍｍの複数の銅製の導線からなる中心導体３を例えばフッ素系樹脂からなる絶縁層５で覆い、この絶縁層５の外周に例えばφ０．０３ｍｍの複数の銅製の導線からなる外部導体７が設けられ、さらに、この外部導体１０７の外周には例えばフッ素系樹脂からなる外皮９でジャケットされている。
【００２１】
また、図７に示されているように、フラットケーブル１１は、複数の例えば平型形状からなる導体１３を並列に配置し、しかも、導体１３の上下両面を絶縁部材としての例えばポリエステルテープ１５で挟んで薄型のテープ形状になっている。そして、その各端部では前記各導体１３が接続のために露出されている。
【００２２】
図７に示されたフラットケーブル１１に図６（Ａ）に示された極細同軸ケーブル１を接続する場合には、図２に示されいるような前記フラットケーブル１１の幅方向へ延伸した導体からなり、前記極細同軸ケーブル１の複数の外部導体７を接続せしめる例えば矩形形状からなっている銅製の第１グランド用接続部材１７と、この第１グランド用接続部材１７に一端が一体化され、他端が前記フラットケーブル１１における露出導体１３の少なくとも１本に接続される導体からな例えば平型形状からなっている銅製の第２グランド用接続部材１９とが用いられる。
【００２３】
すなわち、図１に示されているように、フラットケーブル１１における右側から５本までの導体１３に５本の前記極細同軸ケーブル１の中心導体３を例えば半田などで接続せしめる。そして、この状態において、図２に示した第１グランド用接続部材１７を例えば半田などで極細同軸ケーブル１の各外部導体７に接続せしめると共に第２グランド用接続部材１９の先端部分が前記フラットケーブル１１における左端の導体１３に例えば半田などで接続される。
【００２４】
上記構成により、第１グランド用接続部材１７とこの第１グランド用接続部材１７に一体化した第２グランド用接続部材１９を用いることで、フラットケーブル１１に極細同軸ケーブル１を接続する際に、信号線の接続とグランドの接地を容易に行うことができる。
【００２５】
また、図７に示されたフラットケーブル１１に図６（Ａ）に示された極細同軸ケーブル１を接続する図１に代わる他の実施の形態としては、図４に示した絶縁部材としての例えば矩形形状の薄い絶縁テープ２１と、図５に示した例えば矩形形状からなる銅製からなり、しかも、前記絶縁テープ２１より幅が短く、長さが広いグランド用接続部材２３とが用いられる。
【００２６】
すなわち、図３（Ａ）に示されているように、フラットケーブル１１における右側から５本までの導体１３に下側から上側へ向けて図４に示した絶縁テープ２１を貼り付ける。そして、この状態において、図３（Ｂ）に示されているように、図５に示したグランド用接続部材２３が前記極細同軸ケーブル１における前記露出した５本の外部導体７上に設けられ例えば半田などで接続されると共にグランド用接続部材２３の左側部分が前記フラットケーブル１１における左端の導体１３に例えば半田などで接続される。
【００２７】
上記構成により、前記フラットケーブルの幅方向へ延伸した導体からなるグランド用接続部材２３と前記絶縁部材２１を用いることで、フラットケーブル１１に極細同軸ケーブル１を接続する際に、信号線の接続とグランドの接地を容易に行うことができる。
【００２８】
なお、この発明は前述した実施の形態に限定されることなく、適宜な変更を行うことによりその他の態様で実施し得るものである。
【００２９】
【発明の効果】
以上のごとき発明の実施の形態の説明から理解されるように、請求項１の発明によれば、前記同軸ケーブルの複数の外部導体を接続せしめる第１グランド用接続部材と、この第１グランド用接続部材に一端が一体化され、他端が前記フラットケーブルにおける露出導体の少なくとも１本に接続される導体からな第２グランド用接続部材と、が備えられているから、第１グランド用接続部材とこの第１グランド用接続部材に一体化した第２グランド用接続部材を用いることで、フラットケーブルに同軸ケーブルを接続する際に、容易にグランドの接地を行うことができる。
【００３０】
請求項２の発明によれば、前記フラットケーブルの導体が平角形状、前記第１グランド用接続部材が矩形形状および第２グランド用接続部材が平角形状からなっているから、フラットケーブルに同軸ケーブルを接続する際に、信号線の接続とグランドの接地もより一層容易に行うことができる。
【００３１】
請求項３の発明によれば、前記同軸ケーブルの各外部導体を絶縁せしめる絶縁部材と、前記フラットケーブルの幅方向へ延伸した導体からなり、前記絶縁部材上に設けると共に一部を前記フラットケーブルにおける露出導体の少なくとも１本に接続するグランド用接続部材と、が備えられているから、前記フラットケーブルの幅方向へ延伸した導体からなるグランド用接続部材と前記絶縁部材を用いることで、フラットケーブルに同軸ケーブルを接続する際に、容易にグランドの接地を行うことができる。
【００３２】
請求項４の発明によれば、前記絶縁部材が絶縁テープおよびグランド用接続部材が平角形状からなっているので、フラットケーブルに同軸ケーブルを接続する際に、信号線の接続とグランドの接地もより一層容易に行うことができる。
【図面の簡単な説明】
【図１】この発明のフラットケーブルに同軸ケーブルを接続する説明の平面図である。
【図２】第１グランド用接続部材とこの第１グランド用接続部材に一体化した第２グランド用接続部材の平面図である。
【図３】（Ａ）、（Ｂ）はこの発明の他の実施形態のフラットケーブルに同軸ケーブルを接続する説明の平面図である。
【図４】絶縁部材の一例の平面図である。
【図５】グランド用接続部材の一例の平面図である。
【図６】（Ａ）、（Ｂ）は同軸ケーブルの一例の平面図、拡大断面図である。
【図７】フラットケーブルの一例の平面図である。
【図８】（Ａ）、（Ｂ）は従来の同軸ケーブルの一例の平面図、拡大断面図である。
【図９】従来のフレキシブルプリント基板の一例の平面図である。
【図１０】従来のフラットケーブルに同軸ケーブルを接続する説明の平面図である。
【図１１】従来のフラットケーブルの一例の平面図である。
【符号の説明】
１  極細同軸ケーブル（同軸ケーブル）
３  中心導体
５  絶縁層
７  外部導体
９  外皮
１１  フラットケーブル
１３  導体
１５  ポリエステルテープ（絶縁部材）
１７  第１グランド用接続部材
１９  第２グランド用接続部材
２１  絶縁テープ
２３  グランド用接続部材
【図１】
2004214079.tif 000003
【図２】
2004214079.tif 000004
【図３】
2004214079.tif 000005
【図４】
2004214079.tif 000006
【図５】
2004214079.tif 000007
【図６】
2004214079.tif 000008
【図７】
2004214079.tif 000009
【図８】
2004214079.tif 000010
【図９】
2004214079.tif 000011
【図１０】
2004214079.tif 000012
【図１１】
2004214079.tif 000013